(57)【要約】【課題】モータハウジングと、モータハウジングの前方に保持されるヘッドハウジングと、ヘッドハウジングから下方に突出する出力軸とを有している電動工具において、その作業時の操作性を向上させること。【解決手段】電動工具１は、前後方向に延びるモータ２１と、モータ２１を収容するモータハウジング２と、モータハウジング２の前方に保持されるヘッドハウジング７と、ヘッドハウジング７から下方に突出する出力軸６０とを有している。ヘッドハウジング７は、樹脂製である。【選択図】図５
2019171513.tif 000002
【特許請求の範囲】
【請求項１】
前後方向に延びるモータと、
前記モータを収容するモータハウジングと、
前記モータハウジングの前方に保持されるヘッドハウジングと、
前記ヘッドハウジングから下方に突出する出力軸と、を有し、
前記ヘッドハウジングは、樹脂製である電動工具。
【請求項２】
前後方向に延びるモータと、
前記モータを収容するモータハウジングと、
前記モータハウジングの前方に保持されるヘッドハウジングと、
前記ヘッドハウジングから下方に突出する出力軸と、を有し、
前記ヘッドハウジングは、分割構造である電動工具。
【請求項３】
請求項２に記載の電動工具であって、
前記分割構造は、ロアヘッドハウジングケースと、アッパヘッドハウジングカバーと、を組み付けて成る上下２分割となっており、
前記上下２分割の割面ラインは、前記モータの軸芯ラインより上側に形成されている電動工具。
【請求項４】
請求項３に記載の電動工具であって、
前記アッパヘッドハウジングカバーには、前記ロアヘッドハウジングケースに嵌合可能なリブが形成されており、
前記出力軸の先端側は、ベアリングを介して前記ロアヘッドハウジングケースに組み付けられており、
前記組み付け状態において、前記リブの先端は、前記ロアヘッドハウジングケースに組み付けられた前記ベアリングの外輪を押し当てている電動工具。
【請求項５】
前後方向に延びるモータと、
前記モータを収容するモータハウジングと、
前記モータハウジングの前方に保持されるヘッドハウジングと、
前記ヘッドハウジングから下方に突出する出力軸と、を有し、
前記ヘッドハウジングは、一体的に構成されており、
前記モータハウジングは、半割ハウジングを組み付けて成る２分割構造となっている電動工具。
【発明の詳細な説明】
【技術分野】
【０００１】
この発明は、電動工具に関し、詳しくは、モータを収容するモータハウジングと、モータハウジングの前方に保持されるヘッドハウジングと、ヘッドハウジングから下方に突出する出力軸とを有している電動工具に関する。
【背景技術】
【０００２】
従来、出力軸に締結される先端工具を取り換えることで、例えば、石工ボードの切断作業やＰタイルの剥離作業や木材の研削作業を行うことができる電動工具が既に知られている。このような電動工具は、例えば、特許文献１に開示されており、マルチツールと呼ばれている。このマルチツールにより、１台で多様な作業を実施できる。
【先行技術文献】
【特許文献】
【０００３】
【特許文献１】国際公開第２０１２／０４５６７９号
【発明の概要】
【発明が解決しようとする課題】
【０００４】
しかしながら、上述した従来技術では、マルチツールのヘッドハウジングは、金属製の部材（例えば、アルミ材）から構成されている。そのため、マルチツールの重量が重くなることがあった。したがって、マルチツールの作業時の操作性が悪いものとなっていた。
【０００５】
本発明は、このような課題を解決しようとするもので、その目的は、モータハウジングと、モータハウジングの前方に保持されるヘッドハウジングと、ヘッドハウジングから下方に突出する出力軸とを有している電動工具において、その作業時の操作性を向上させることである。
【課題を解決するための手段】
【０００６】
本発明は、上記の目的を達成するためのものであって、以下のように構成されている。請求項１に記載の発明は、前後方向に延びるモータと、モータを収容するモータハウジングと、モータハウジングの前方に保持されるヘッドハウジングと、ヘッドハウジングから下方に突出する出力軸とを有している。ヘッドハウジングは、樹脂製である。
【０００７】
請求項１の発明によれば、従来技術とは異なり、電動工具の重量を軽くできる。したがって、電動工具の作業時の操作性を向上させることができる。
【０００８】
また、請求項２に記載の発明は、前後方向に延びるモータと、モータを収容するモータハウジングと、モータハウジングの前方に保持されるヘッドハウジングと、ヘッドハウジングから下方に突出する出力軸とを有している。ヘッドハウジングは、分割構造である。
【０００９】
請求項２の発明によれば、例えば、ヘッドハウジングの内部にスピンドルユニットを組み付ける作業を行う時、このヘッドハウジングをロアヘッドハウジングケースとアッパヘッドハウジングカバーとに分解した状態で、この組み付ける作業を実施できる。したがって、ヘッドハウジングを分解できない場合と比較すると、スピンドルユニットを内部に組み付ける作業の作業性を高めることができる。すなわち、ヘッドハウジングの内部にスピンドルユニットを簡便に組み付けることができる。
【００１０】
また、請求項３に記載の発明は、請求項２に記載の電動工具であって、分割構造は、ロアヘッドハウジングケースと、アッパヘッドハウジングカバーとを組み付けて成る上下２分割となっている。上下２分割の割面ラインは、モータの軸芯ラインより上側に形成されている。
【００１１】
請求項３の発明によれば、例えば、電動工具がマルチツールの場合、出力軸の軸回りに刃具が繰り返し揺動することによってロアヘッドハウジングケースに対して捩じり力が作用しても、この捩じり力に対する剛性をロアヘッドハウジングケースに持たせることができる。
【００１２】
また、請求項４に記載の発明は、請求項３に記載の電動工具であって、アッパヘッドハウジングカバーには、ロアヘッドハウジングケースに嵌合可能なリブが形成されている。出力軸の先端側は、ベアリングを介してロアヘッドハウジングケースに組み付けられている。この組み付け状態において、リブの先端は、ロアヘッドハウジングケースに組み付けられたベアリングの外輪を押し当てている。
【００１３】
請求項４の発明によれば、この組み付け状態におけるベアリングの軸方向へのガタツキを防止できる。
【００１４】
また、請求項５に記載の発明は、前後方向に延びるモータと、モータを収容するモータハウジングと、モータハウジングの前方に保持されるヘッドハウジングと、ヘッドハウジングから下方に突出する出力軸とを有している。ヘッドハウジングは、一体的に構成されている。モータハウジングは、半割ハウジングを組み付けて成る２分割構造となっている。
【００１５】
請求項５の発明によれば、ヘッドハウジングが分割構造の場合と比較すると、ヘッドハウジングそのものの強度を高めることができる。また、モータハウジングを２分割した状態（半割りした状態）で各種部品（例えば、モータ、遠心ファン、スイッチ等）をモータハウジングの収容部に組み付けることができる。したがって、この組み付けの作業性を高めることができる。
【図面の簡単な説明】
【００１６】
【図１】第１実施形態に係るマルチツールの全体斜視図である。
【図２】図１のマルチツールの側面図である。
【図３】図１のマルチツールの分解図である。
【図４】図３のマルチツールの側面図である。
【図５】図２の縦断面図である。
【図６】図５の主要部の拡大図である。
【図７】第２実施形態に係るマルチツールの側面図である。
【発明を実施するための形態】
【００１７】
以下、本発明を実施するための形態を、図面を用いて説明する。
（第１実施形態）
まず、本発明の第１実施形態を図１〜６を用いて説明する。なお、以下の説明にあたって、『電動工具』、『出力軸』が『マルチツール１』、『スピンドル６０』である例を説明する。また、以下の説明にあたって、上、下、前、後、左、右とは、上述した図に記載した、上、下、前、後、左、右の方向を示している。すなわち、前方向は、マルチツール１の先端方向である。このことは、後述する第２実施形態においても同様である。
【００１８】
このマルチツール１は、主として、モータハウジング２と、ヘッドハウジング７と、リヤカバー８とから構成されている（図１〜４参照）。以下に、これらモータハウジング２と、ヘッドハウジング７と、リヤカバー８とを個別に説明する。
【００１９】
はじめに、モータハウジング２から説明する。このモータハウジング２は、略筒状を成す樹脂製の部材から一体的に（一部材で）構成されている。このモータハウジング２の収容部２０（筒状の内部）には、前後方向に延びるようにモータ２１が組み付けられている（図５参照）。このモータ２１の回転軸２２の前側には、遠心ファン２３が組み付けられている。また、このモータ２１の回転軸２２における遠心ファン２３の前側には、ベアリング２４が組み付けられている。
【００２０】
また、このモータ２１の回転軸２２におけるベアリング２４の前側には、ベアリング２５が組み付けられている。このとき、このベアリング２５は、その軸芯である第２軸芯ラインｂが、モータ２１の回転軸２２の軸芯である第１軸芯ラインａに対して偏心した状態（位置ズレした状態）となるように組み付けられている（図６参照）。すなわち、このベアリング２５は、モータ２１の回転軸２２に対して偏心した状態で組み付けられている。
【００２１】
一方、このモータ２１の回転軸２２の後側には、ベアリング２６が組み付けられている。この両ベアリング２４、２６は、モータ２１の回転軸２２の軸受けを成すものである。そのため、この両ベアリング２４、２６の各外輪は、モータハウジング２の収容部２０に組み付けられている。したがって、このモータ２１の回転軸２２を滑らかに回転させることができる。
【００２２】
また、このモータハウジング２のモータ２１と遠心ファン２３との間における収容部２０には、モータ２１の回転軸２２を貫通した状態で遠心ファン２３の周囲を囲む皿状のファンガイド２７が組み付けられている。このファンガイド２７により、後述するリヤカバー８の吸気口８０から取り込まれた外気（冷却エア）の風速を高めることができる。また、このモータハウジング２の左右（左右の側面）には、リヤカバー８の吸気口８０から取り込まれた外気を排出可能な排気口２８が形成されている。
【００２３】
また、このモータハウジング２の後部には、後方に向けて張り出す張出部２９が形成されている。この張出部２９の前側には、スイッチカバー３０を介してスイッチ３１が組み付けられている（図３参照）。また、この張出部２９の後側には、外部電源が供給される電源コード３２に電気的に接続された端子台３３が組み付けられている。また、この張出部２９の後側には、モータ２１の回転軸２２を駆動させるコントローラ３４が組み付けられている。また、このモータハウジング２の上側には、作業者が指（いずれも図示しない）で操作（スライド操作）可能なスイッチノブ３５が組み付けられている。
【００２４】
また、このモータハウジング２の収容部２０には、スイッチノブ３５の操作に連動してスイッチ３１を動作させるスイッチレバー３６が組み付けられている。また、この張出部２９の後側には、コントローラ３４が駆動させるモータ２１の回転軸２２の回転数を設定可能な変速ダイヤル３７が組み付けられている。なお、これらモータ２１、スイッチ３１、端子台３３、変速ダイヤル３７は、コントローラ３４に対してリード線（図示しない）を介して電気的に接続されている。モータハウジング２は、このように構成されている。
【００２５】
次に、ヘッドハウジング７を説明する。このヘッドハウジング７は、主として、ロアヘッドハウジングケース４と、アッパヘッドハウジングカバー５と、スピンドルユニット６とから構成されている。
【００２６】
ロアヘッドハウジングケース４は、略逆Ｌ字状を成す収容部４０を有するように樹脂製の部材から一体的に（一部材で）構成されている。この収容部４０の内周面４１の内径は、後述するスピンドルユニット６のスピンドル６０のベアリング６３の外輪６３ｂの外径に対して同等もしくは僅かに大きく設定されている。そのため、後述するように、収容部４０にスピンドルユニット６を組み付けたとき、この組み付けたスピンドルユニット６の径方向のガタツキを抑えることができる。
【００２７】
この収容部４０の下側には、後述するスピンドルユニット６のスピンドル６０を貫通させる貫通孔４２が形成されている。また、この収容部４０の下側には、貫通孔４２の中心に向けて内周面４１より張り出す組付部４３が形成されている。また、このロアヘッドハウジングケース４の表面の適宜個所は、エラストマ４５によって覆われている。すなわち、このロアヘッドハウジングケース４の表面の適宜個所に対してエラストマ４５が二色成形されている。そのため、このロアヘッドハウジングケース４から作業者の手に伝達される震動を抑制できる。ロアヘッドハウジングケース４は、このように構成されている。
【００２８】
また、アッパヘッドハウジングカバー５は、ロアヘッドハウジングケース４の収容部４０にスピンドルユニット６を組み付けたとき、この組み付けたスピンドルユニット６を覆うように樹脂製の部材から一体的に（一部材で）構成されている。このアッパヘッドハウジングカバー５の割面５０には、下方に向けて突出する略円筒状のリブ５１が形成されている。
【００２９】
このリブ５１の外周面５２における基端側の外径は、ロアヘッドハウジングケース４の収容部４０の内周面４１の上側の内径に対して同等もしくは僅かに大きく設定されている。そのため、後述するように、ロアヘッドハウジングケース４にアッパヘッドハウジングカバー５を組み付けたとき、このロアヘッドハウジングケース４の内周面４１に対してアッパヘッドハウジングカバー５のリブ５１の外周面５２が嵌合することとなる。したがって、この組み付けたアッパヘッドハウジングカバー５の径方向のガタツキを抑えることができる。
【００３０】
また、このアッパヘッドハウジングカバー５の割面５０には、凹溝５４が形成されている。この凹溝５４には、シールリング５５が組み付けられている。そのため、後述するように、ロアヘッドハウジングケース４にアッパヘッドハウジングカバー５を組み付けて出来上がったスピンドルユニット６において、ロアヘッドハウジングケース４の収容部４０に組み付けたスピンドルユニット６に塗布されているグリス（図示しない）が割面４４、５０から漏れ出すことを防止できる。
【００３１】
また、このアッパヘッドハウジングカバー５の表面の適宜個所は、エラストマ５６によって覆われている。すなわち、このアッパヘッドハウジングカバー５の表面の適宜個所に対してエラストマ５６が二色成形されている。そのため、このアッパヘッドハウジングカバー５から作業者の手に伝達される震動を抑制できる。アッパヘッドハウジングカバー５は、このように構成されている。
【００３２】
また、スピンドルユニット６は、スピンドル６０と、このスピンドル６０の上部に基端が組み付けられた（固着された）レバー６１と、このスピンドル６０の下端側（先端側）に組み付けられたベアリング６３と、このスピンドル６０の上端側（基端側）に組み付けられたベアリング６４とから構成されている。レバー６１の先端には、平面視において、左右に対向する押当面６２ａを有する略コ字状の挟持部６２が形成されている。
【００３３】
この挟持部６２の両押当面６２ａの間には、上述したモータ２１の回転軸２２のベアリング２５が受け入れられることとなる（図６参照）。また、スピンドル６０の下端側には、取付部６５が組み付けられて（固着されて）いる。この取付部６５の下面には、周方向に沿って複数の凸部６５ａが形成されている。スピンドルユニット６は、このように構成されている。
【００３４】
このように構成されているロアヘッドハウジングケース４と、アッパヘッドハウジングカバー５と、スピンドルユニット６とからヘッドハウジング７を組み立てる手順を説明する。まず、ロアヘッドハウジングケース４の収容部４０にスピンドルユニット６を組み付ける作業を行う。これにより、ロアヘッドハウジングケース４の貫通孔４２からスピンドルユニット６のスピンドル６０が下方に向けて突出する。
【００３５】
次に、このスピンドルユニット６を組み付けたロアヘッドハウジングケース４にアッパヘッドハウジングカバー５を組み付ける作業を行う。この記載が、特許請求の範囲に記載の「前記分割構造は、ロアヘッドハウジングケースと、アッパヘッドハウジングカバーと、を組み付けて成る上下２分割となっており、」に相当する。なお、図５からも明らかなように、ロアヘッドハウジングケース４の割面４４とアッパヘッドハウジングカバー５の割面５０とを形成する割面ラインｃは、モータ２１の回転軸２２の第１軸芯ラインａより上側に形成されている。
【００３６】
この組み付け状態において、アッパヘッドハウジングカバー５のリブ５１の先端５３は、ロアヘッドハウジングケース４に組み付けられたスピンドルユニット６のベアリング６３の外輪６３ｂを押し当てている。最後に、ロアヘッドハウジングケース４からアッパヘッドハウジングカバー５に向けて３本のネジ４ａを締め付ける作業を行う。このようにしてヘッドハウジング７が組み立てられる。
【００３７】
最後に、リヤカバー８を説明する。このリヤカバー８は、有底の略筒状を成す樹脂製の部材から一体的に（一部材で）構成されている。このリヤカバー８の後側の左右（左右の側面）には、外気を取り込み可能な溝状の吸気口８０が複数形成されている。また、このリヤカバー８の後側には、電源コード３２を通し可能な通し孔８１が形成されている。リヤカバー８は、このように構成されている。
【００３８】
次に、モータハウジング２と、ヘッドハウジング７と、リヤカバー８とから構成されているマルチツール１を組み立てる手順を説明する。まず、モータハウジング２の張出部２９を覆うようにリヤカバー８を組み付ける作業を行う。次に、リヤカバー８からモータハウジング２の張出部２９に向けてネジ８ａを締め付ける作業を行う。次に、モータハウジング２にヘッドハウジング７を組み付ける作業を行う。
【００３９】
次に、ヘッドハウジング７からモータハウジング２に向けて４本のネジ４ｂを締め付ける作業を行う。これにより、モータハウジング２の前方にヘッドハウジング７が保持される。最後に、刃６６ａを有する刃具６６をスピンドル６０の取付部６５とアウタフランジ６７との間に挟み込ませ、アウタフランジ６７からスピンドル６０の取付部６５に向けてサラネジ６８を締め付ける作業を行う。これにより、スピンドル６０の取付部６５に刃具６６が取り付けられる。
【００４０】
なお、刃具６６には、取付部６５の凸部６５ａに対応するように複数の凹穴６６ｂが形成されている。そのため、刃具６６をスピンドル６０の取付部６５とアウタフランジ６７との間に挟み込ませるとき、この取付部６５の複数の凸部６５ａを刃具６６の複数の凹穴６６ｂに入れ込ませることができる。したがって、刃６６ａが前を向いた状態で刃具６６をスピンドル６０の取付部６５に取り付けることができる。このようにしてマルチツール１が組み立てられる。
【００４１】
続いて、上述したように組み立てられるマルチツール１の動作を説明する。作業者が指でスイッチノブ３５を操作すると、コントローラ３４を介してモータ２１が駆動する。これにより、モータ２１の回転軸２２が回転する。すると、既に説明したように、ベアリング２５はモータ２１の回転軸２２に対して偏心した状態で組み付けられているため、このベアリング２５の外輪２５ｂの外周面２５ｃがスピンドルユニット６のレバー６１の対向する押当面６２ａを交互に押し当てる。
【００４２】
これにより、スピンドル６０の軸回りにレバー６１が繰り返し揺動するため、これにともない、このスピンドル６０の軸回りに刃具６６も繰り返し揺動する。したがって、例えば、この刃具６６の刃６６ａの繰り返しの揺動によって石工ボード（図示しない）を切断できる。このとき、モータ２１の回転軸２２と共に遠心ファン２３も回転する。すると、リヤカバー８の吸気口８０から外気がリヤカバー８の内部に取り込まれ、この取り込まれた外気がモータハウジング２の排気口２８から排出される。
【００４３】
これにより、リヤカバー８の内部およびモータハウジング２の収容部２０が外気の通り道となるため（リヤカバー８の内部およびモータハウジング２の収容部２０に外気が送り込まれるため）、コントローラ３４およびモータ２１が冷却されることとなる。したがって、モータ２１およびコントローラ３４が発熱しても、これらモータ２１およびコントローラ３４が高温になることを防止できる。
【００４４】
本発明の第１実施形態に係るマルチツール１は、上述したように構成されている。この構成によれば、ヘッドハウジング７は、樹脂製の部材から構成されている。そのため、従来技術とは異なり、マルチツール１の重量を軽くできる。したがって、マルチツール１の作業時の操作性を向上させることができる。
【００４５】
また、この構成によれば、ヘッドハウジング７は、ロアヘッドハウジングケース４と、アッパヘッドハウジングカバー５とを組み付けて成る２分割構造となっている。そのため、ヘッドハウジング７の内部にスピンドルユニット６を組み付ける作業を行う時、このヘッドハウジング７をロアヘッドハウジングケース４とアッパヘッドハウジングカバー５とに分解した状態で、この組み付ける作業を実施できる。したがって、ヘッドハウジング７を分解できない場合と比較すると、スピンドルユニット６を内部に組み付ける作業の作業性を高めることができる。すなわち、ヘッドハウジング７の内部にスピンドルユニット６を簡便に組み付けることができる。
【００４６】
また、この構成によれば、ロアヘッドハウジングケース４の割面４４とアッパヘッドハウジングカバー５の割面５０とを形成する割面ラインｃは、モータ２１の回転軸２２の第１軸芯ラインａより上側に形成されている。そのため、スピンドルユニット６のスピンドル６０の軸回りに刃具６６が繰り返し揺動することによってロアヘッドハウジングケース４に対して捩じり力が作用しても、この捩じり力に対する剛性をロアヘッドハウジングケース４に持たせることができる。
【００４７】
また、この構成によれば、ヘッドハウジング７の内部（ロアヘッドハウジングケース４の収容部４０）にスピンドルユニット６を組み付けた状態において、アッパヘッドハウジングカバー５のリブ５１の先端５３は、ロアヘッドハウジングケース４に組み付けられたスピンドルユニット６のベアリング６３の外輪６３ｂを押し当てている。そのため、この組み付け状態におけるベアリング６３の軸方向へのガタツキを防止できる。
【００４８】
（第２実施形態）
次に、本発明の第２実施形態を図７を用いて説明する。この第２実施形態に係るマルチツール１０１は、第１実施形態に係るマルチツール１と比較すると、モータハウジング２とヘッドハウジング７との構造が相違した形態である。なお、以下の説明にあたって、第１実施形態で説明した部材と同一または均等な構成の部材には、図面において、同一符号を付すことで重複する説明は省略することとする。
【００４９】
このマルチツール１０１は、主として、モータハウジング２と、ヘッドハウジング７ととから構成されている（図７参照）。このマルチツール１０１のモータハウジング２は、第１実施形態のリヤカバー８も兼ねるものとなっており、有底の略筒状を成す樹脂製の部材から構成されている。なお、このマルチツール１０１のモータハウジング２は、図７からも明らかなように、上下に対を成す半割ハウジング２ａ、２ｂをネジ（図示しない）で組み付けて成る２分割構造となっている。
【００５０】
また、このマルチツール１０１のヘッドハウジング７は、第１実施形態のロアヘッドハウジングケース４とアッパヘッドハウジングカバー５とが一体的に（一部材で）構成されたものである。なお、このマルチツール１０１の他の構造は、マルチツール１の構造と同一となっている。
【００５１】
本発明の第２実施形態に係るマルチツール１０１は、上述したように構成されている。この構成によれば、マルチツール１と同様の作用効果を得ることができる。また、マルチツール１０１のヘッドハウジング７は、一体的に構成されている。そのため、ヘッドハウジング７が分割構造の場合と比較すると、ヘッドハウジング７そのものの強度を高めることができる。また、マルチツール１０１のモータハウジング２は、上下に対を成す半割ハウジング２ａ、２ｂをネジで組み付けて成る２分割構造となっている。そのため、モータハウジング２を上下に２分割した状態（半割りした状態）で各種部品（例えば、モータ２１、遠心ファン２３、スイッチ３１等）をモータハウジング２の収容部２０に組み付けることができる。したがって、この組み付けの作業性を高めることができる。
【００５２】
上述した内容は、あくまでも本発明の一実施の形態に関するものであって、本発明が上記内容に限定されることを意味するものではない。
【００５３】
各実施形態では、『電動工具』が『マルチツール１、１０１』である例を説明した。しかし、これに限定されるものでなく、『電動工具』が『アングルタイプの電動工具』であれば、どのようなものでも構わない。
【００５４】
また、第１実施形態では、ヘッドハウジング７は、上下２分割構造である例を説明した。しかし、これに限定されるものでなく、ヘッドハウジング７は、前後２分割構造または左右２分割構造であっても構わない。もちろん、ヘッドハウジング７は、樹脂製の部材から一体的に（一部材で）構成されていても構わない。
【００５５】
また、第１実施形態では、モータハウジング２は、略筒状を成す樹脂製の部材から一体的に（一部材で）構成されている例を説明した。しかし、これに限定されるものでなく、モータハウジング２は、略筒状を成す樹脂製の部材から縦割り（左右割り）または横割り（上下割り）の半割に（半割りの二部材で）構成されていても構わない。その場合、半割の二部材を留めるネジが必要となる。
【００５６】
また、第２実施形態では、マルチツール１０１のモータハウジング２は、上下に対を成す半割ハウジング２ａ、２ｂをネジで組み付けて成る２分割構造となっている例を説明した。しかし、これに限定されるものでなく、マルチツール１０１のモータハウジング２は、左右に対を成す半割ハウジング２ａ、２ｂをネジで組み付けて成る２分割構造となっていても構わない。
【符号の説明】
【００５７】
１      マルチツール（電動工具、第１実施形態）
２      モータハウジング
２ａ    半割ハウジング
２ｂ    半割ハウジング
４      ロアヘッドハウジングケース
４ａ    ネジ
４ｂ    ネジ
５      アッパヘッドハウジングカバー
６      スピンドルユニット
７      ヘッドハウジング
８      リヤカバー
８ａ    ネジ
２０    収容部
２１    モータ
２２    回転軸
２３    遠心ファン
２４    ベアリング
２５    ベアリング
２５ａ  内輪
２５ｂ  外輪
２５ｃ  外周面
２６    ベアリング
２７    ファンガイド
２８    排気口
２９    張出部
３０    スイッチカバー
３１    スイッチ
３２    電源コード
３３    端子台
３４    コントローラ
３５    スイッチノブ
３６    スイッチレバー
３７    変速ダイヤル
４０    収容部
４１    内周面
４２    貫通孔
４３    組付部
４４    割面
４５    エラストマ
５０    割面
５１    リブ
５２    外周面
５３    先端
５４    凹溝
５５    シールリング
５６    エラストマ
６０    スピンドル（出力軸）
６１    レバー
６２    挟持部
６２ａ  押当面
６３    ベアリング
６３ａ  内輪
６３ｂ  外輪
６４    ベアリング
６５    取付部
６５ａ  凸部
６６    刃具
６６ａ  刃
６６ｂ  凹穴
６７    アウタフランジ
６８    サラネジ
８０    吸気口
８１    通し孔
１０１  マルチツール（電動工具、第２実施形態）
ａ      第１軸芯ライン（モータ）
ｂ      第２軸芯ライン（ベアリング）
ｃ      割面ライン
【図１】
2019171513.tif 000003
【図２】
2019171513.tif 000004
【図３】
2019171513.tif 000005
【図４】
2019171513.tif 000006
【図５】
2019171513.tif 000007
【図６】
2019171513.tif 000008
【図７】
2019171513.tif 000009